(57)【要約】【課題】バーナ内に導入される空気の流量が不要に増加されることを抑制できる穀物乾燥装置を得る。【解決手段】本穀物乾燥装置では、遠赤外線放射体７８の一端側に設けられた縦壁部７８Ａには、複数の貫通孔８２が形成されている。このため、遠赤外線放射体７８内の空気が遠赤外線放射体７８の他端側開口部から吸引された場合には、複数の貫通孔８２を介して遠赤外線放射体７８内に空気（外気）が流入する。したがって、遠赤外線放射体７８の一端側開口部がバーナ６６によって塞がれていても、バーナ６６の吸気口６９からバーナ６６内に導入されて遠赤外線放射体７８内へ排出される空気（一次燃焼空気）の流量が、上記吸引によって不要に増加されることを抑制できる。【選択図】図４
2008298371.tif 000002
【特許請求の範囲】
【請求項１】
穀物を収容する穀物収容部が内部に設けられた機体と、
前記機体内の空気を外部へ排出することで前記機体内へ外気を流入させ、前記機体内に前記穀物収容部を通過する空気流を生じさせる排風手段と、
筒状に形成され、前記穀物収容部に対して前記空気流の上流側で前記機体内に設けられると共に、一端側に貫通孔が形成された遠赤外線放射体と、
前記遠赤外線放射体の一端側開口部を塞いだ状態で前記遠赤外線放射体に取り付けられ、内部に導入した空気により燃料を燃焼させて前記遠赤外線放射体内へ火炎を放射するバーナと、
を有する穀物乾燥装置。
【請求項２】
前記機体の外壁には、前記機体内へ外気を流入させるための外気流入孔が設けられ、前記外気流入孔及び前記貫通孔を介して前記機体の外部から前記遠赤外線放射体内を視認可能とされていることを特徴とする請求項１に記載の穀物乾燥装置。
【発明の詳細な説明】
【技術分野】
【０００１】
本発明は、穀物乾燥装置に関する。
【背景技術】
【０００２】
従来の穀物乾燥装置（例えば、特許文献１参照）では、穀物を収容する穀物収容部（穀物流下路）が内部に設けられた機体と、機体内の空気を外部へ排出することで機体内へ外気を流入させ、機体内に穀物収容部を通過する空気流を生じさせる排風機と、筒状に形成され、穀物収容部に対して前記空気流の上流側で機体内に設けられた遠赤外線放射体と、遠赤外線放射体の一端側開口部を塞いだ状態で遠赤外線放射体に取り付けられ、内部に導入した空気により燃料を燃焼させて遠赤外線放射体内へ火炎を放射するバーナと、を備えている。
【０００３】
上記構成の穀物乾燥装置では、機体内に流入した外気は、バーナが放射する火炎によって加熱された遠赤外線放射体により加熱されると共に、前記火炎によって加熱されて遠赤外線放射体の他端側開口部から排出される熱風と混合され、所定の温度まで加熱される。加熱された空気流は、遠赤外線放射体よりも下流側に設けられた穀物収容部を通過することで穀物の水分を吸収した後に、排風機によって機体の外部へ排出される。
【特許文献１】特開２００１−１６５５７０号公報
【発明の開示】
【発明が解決しようとする課題】
【０００４】
しかしながら、上記構成の穀物乾燥装置では、排風機が機体内の空気を外部へ排出すると、機体内が負圧になるため、遠赤外線放射体内の空気が遠赤外線放射体の他端側開口部から吸引されることがある。このような場合、遠赤外線放射体の一端側開口部がバーナによって塞がれているため、バーナの内部を通過して遠赤外線放射体内へ流入する空気の流量が増加する。このため、バーナの空燃比が変更されて燃焼が不安定になったり、空気に含まれた埃がバーナ内部の構成部材（例えば、炎検知器、燃料噴射ノズル、点火プラグなど）に付着してバーナの作動に支障をきたしたりする可能性がある。
【０００５】
本発明は上記事実を考慮し、バーナ内に導入される空気の流量が不要に増加されることを抑制できる穀物乾燥装置を得ることが目的である。
【課題を解決するための手段】
【０００６】
請求項１に記載の発明に係る穀物乾燥装置は、穀物を収容する穀物収容部が内部に設けられた機体と、前記機体内の空気を外部へ排出することで前記機体内へ外気を流入させ、前記機体内に前記穀物収容部を通過する空気流を生じさせる排風手段と、筒状に形成され、前記穀物収容部に対して前記空気流の上流側で前記機体内に設けられると共に、一端側に貫通孔が形成された遠赤外線放射体と、前記遠赤外線放射体の一端側開口部を塞いだ状態で前記遠赤外線放射体に取り付けられ、内部に導入した空気により燃料を燃焼させて前記遠赤外線放射体内へ火炎を放射するバーナと、を有することを特徴としている。
【０００７】
請求項１に記載の穀物乾燥装置では、機体内に流入した外気は、バーナが放射する火炎によって加熱された遠赤外線放射体により加熱されると共に、遠赤外線放射体の他端側開口部から排出される熱風と混合されて加熱される。加熱された空気は、遠赤外線放射体よりも下流側に設けられた穀物収容部を通過することで穀物の水分を吸収した後に、排風手段によって機体の外部へ排出される。
【０００８】
ここで、遠赤外線放射体の一端側には貫通孔が形成されている。このため、排風手段が機体内の空気を排出することで機体内が負圧になり、遠赤外線放射体内の空気が遠赤外線放射体の他端側開口部から吸引された場合には、上記貫通孔を介して遠赤外線放射体内に空気が流入する。したがって、遠赤外線放射体の一端側開口部がバーナによって塞がれていても、バーナ内に導入されて遠赤外線放射体内へ排出される空気（一次燃焼空気）の流量が、上記吸引によって不要に増加されることを抑制できる。
【０００９】
請求項２に記載の発明に係る穀物乾燥装置は、請求項１に記載の穀物乾燥装置において、前記機体の外壁には、前記機体内へ外気を流入させるための外気流入孔が設けられ、前記外気流入孔及び前記貫通孔を介して前記機体の外部から前記遠赤外線放射体内を視認可能とされていることを特徴としている。
【００１０】
請求項２に記載の穀物乾燥装置では、外気流入孔から機体の内部を覗くことにより、貫通孔を介して遠赤外線放射体内を視認することができる。したがって、バーナの燃焼状態（火炎の状態）を確認することができる。
【発明の効果】
【００１１】
以上説明したように、本発明に係る穀物乾燥装置では、バーナ内に導入される空気の流量が不要に増加されることを抑制できる。
【発明を実施するための最良の形態】
【００１２】
図１には、本発明の実施形態に係る穀物乾燥装置としての穀物遠赤外線乾燥装置１０の縦断面図が示されている。また、図２には図１の２−２線に沿った縦断面図が示されており、図３には図１の３−３線に沿った横断面図が示されている。
【００１３】
機体１２は左右一対の側壁１４、前面壁１６、後面壁１８、天井壁２０及び底壁２２を備えた穀物遠赤外線乾燥装置１０の外枠で、上下に高く前後に長い箱状とされている。
【００１４】
機体１２の上部内洞は穀物収容部を構成する穀槽２４となっている。また機体１２の下部には乾燥部２６が配設されている。乾燥部２６には、左右の機壁１４の上下方向略中央部内面から左右方向中央部位に向け傾斜して下降する一対の通気性の排風路隔壁２８が正面視（図２）において漏斗状に形成され、機体前後方向（前面壁１６と後面壁１８との間）に架け渡されている。この排風路隔壁２８と側壁１４との間に排風路３２が形成されている。
【００１５】
排風路隔壁２８の機体内方側には、排風路隔壁２８と平行すなわち側壁１４に対して傾斜する一対の通気性の導風路隔壁３４が、排風路隔壁２８と同様に機体１２の前後方向に架け渡されている。導風路隔壁３４の上部は機体内方に向けて屈曲し、さらに上端部は互いに連続結合されている。このため対向する導風路隔壁３４によって囲まれる部分が正面視において菱形状の導風路３８となっている。
【００１６】
排風路隔壁２８上部と導風路隔壁３４上部との間には、導風路３８と同様に正面視菱形状の通気性の隔壁４０が配置されており、この隔壁４０によって補助導風路４２が構成さている。
【００１７】
導風路３８と補助導風路４２との間、補助導風路４２と排風路３２との間、及び導風路３８と排風路３２との間は、穀槽２４と共に穀物収容部を構成する穀物流下路４６となっており、穀槽２４内の穀物は、後述するシャッタドラム５０が作動することで、穀物流下路４６を流下する。
【００１８】
排風路隔壁２８及び導風路隔壁３４の一端は、図３に示す如く前面壁１６に連結されている。前面壁１６には、外気導入口３０が形成されると共に、機体１２の外壁を構成する導風ダクト３６が取り付けられており、導風路３８に連通する導風連通路６４が設けられている。この導風ダクト３６は、下端部が開口すると共に、前面にはスリット状の外気流入孔４４が形成されており、外気が流入可能となっている。このため、外気は導風連通路６４を通って外気導入口３０から導風路３８内へ送り込まれる構成になっている。
【００１９】
導風路３８内には、遠赤外線放射体７８が配置されている。遠赤外線放射体７８は、筒状に形成されると共に、全体としてＵ字形に屈曲して形成されており、当該屈曲部と反対側に設けられた両端部を導風連通路６４の近傍に配置させた状態で機体１２の前後方向に沿って延在している。
【００２０】
図４に示されるように、遠赤外線放射体７８の一端部には、径方向内側へ向けて延出されたリング状の縦壁部７８Ａと、この縦壁部７８Ａの径方向内側端部から機体１２の前面側（導風連通路６４側）へ向けて延出された円筒状の小径部７８Ｂとが設けられており、遠赤外線放射体７８の一端部は段付状に縮径されている。また、小径部７８Ｂの先端部からは、径方向外側へ向けてリング状のフランジ部７８Ｃが延出されており、このフランジ部７８Ｃには乾燥風生成手段としてのバーナ６６が固定されている。
【００２１】
バーナ６６は、所謂ガンタイプバーナとされており、燃料噴射ノズル８８の周囲がドラフトチューブ７４によって被覆され、さらにドラフトチューブ７４の先端部にはフレームホルダ(保炎器）９０が設けられた構成となっている。このバーナ６６は、ドラフトチューブ７４が小径部７８Ｂの内側に嵌合した状態で遠赤外線放射体７８に取り付けられており、遠赤外線放射体７８の一端側開口部７８Ｄ（小径部７８Ｂの内側）がバーナ６６によって塞がれている。
【００２２】
バーナ６６の本体部６７は、導風連通路６４内に配置されており、遠赤外線放射体７８のフランジ部７８Ｃに固定された防風カバー７６によって覆われている。この防風カバー７６は下部が開口しており、当該開口部分が導風ダクト３６の下端開口部に対向している。
【００２３】
バーナ６６の本体部６７には、複数の吸気口６９が形成されており、本体部６７の内側に設けられた図示しないファンが作動すると、これらの吸気口６９を介して本体部６７内に空気が導入されるようになっている。なおこの場合、防風カバー７６によって外気流入口４４からのバーナ６６への空気の流入が遮断されると共に、導風ダクト３６の下端開口部からの空気がバーナ６６内へ導入されるようになっている。
【００２４】
バーナ６６内へ導入された空気は、燃料噴射ノズル８８から噴射される液体燃料と混合されて遠赤外線放射体７８内へ排出されるようになっている。そして、この混合気は、ドラフトチューブ７４内に設けられた点火プラグ８９が発生させる火花によって着火されて燃焼する。これにより、バーナ６６は遠赤外線放射体７８内へ火炎を放射するようになっている。
【００２５】
また、バーナ６６には、炎を検知する炎検知器９１（例えば、ＣｄＳセンサ）が設けられている。この炎検知器９１は、図示しない配線を介して図示しない制御装置に接続されており、炎検知器９１がバーナ６６の燃焼状態の異常を検知した際には、前記制御装置によってバーナ６６の作動が停止されるようになっている。
【００２６】
ここで、本実施形態では、遠赤外線放射体７８の縦壁部７８Ａには、複数の円形の貫通孔８２が形成されている。これらの貫通孔８２は、遠赤外線放射体７８の周方向に沿って等間隔に並んで配置されており、これらの貫通孔８２を介して遠赤外線放射体７８の内部と導風連通路６４とが連通している。
【００２７】
また、これらの貫通孔８２のうち全部又は一部は、導風ダクト３６の外気流入口４４に対向して配置されており、外気流入口４４から導風ダクト３６の内部（機体１２の内部）を覗くことにより、貫通孔８２を介して遠赤外線放射体７８の内部を視認できるようになっている。したがって、例えば、バーナ６６の燃焼状態が良好であれば、貫通孔８２を介してドラフトチューブ７４内が炎色に見え、これにより、バーナ６６の燃焼状態を確認することができる構成になっている。
【００２８】
なお、本実施形態では、複数の貫通孔８２のうち小径部７８Ｂの上側に配置された幾つかは、バーナ６６が放射する火炎と、導風ダクト３６の外気流入口４４との間に配置されている。このため、外気流入孔４４から導風ダクト３６の内部を覗くことにより、貫通孔８２を介して火炎を直接視認できるようになっている。
【００２９】
一方、遠赤外線放射体７８の他端側開口部７８Ｅは、一端側開口部７８Ｄの上側に配置されている。この他端側開口部７８Ｅ（以下、排気口７８Ｅという）は、前面壁１６に形成された外気導入口３０の略中央部に接近した位置で、かつこの外気導入口３０からの外気導入方向に対向する方向へ向けて（すなわち、外気導入口３０へ向けて）配置されており、バーナ６６によって発生した熱風は、遠赤外線放射体７８を加熱しながら、排気口７８Ｅから導風路３８内へと放出されるようになっている。
【００３０】
また一方、前述した排風路隔壁２８及び導風路隔壁３４の他端は、後面壁１８に連結されている。このため、導風路３８及び穀物流下路４６は機体後方側の端部が遮蔽されている。したがって、導風路３８へ送給された乾燥風は穀物流下路４６へ送られた後に、排風路３２へ排出されるようになっている。この際に、穀物流下路４６内の穀物が導風路３８から送られる乾燥風を受けながら穀物流下路４６の下方へ流下して乾燥される構成になっている。
【００３１】
図３に示す如く、排風路３２に対向する後面壁１８には開口８４が形成されると共に排風ダクト８６が取付けられており、この排風ダクト８６と後面壁１８とによって排風路３２と連通する排風連通路６８が形成されている。
【００３２】
また、排風連通路６８の中央部には、排風手段としての吸引排風機７０が配設されている。このため、吸引排風機７０の作動時には、バーナ６６によって発生した乾燥風は導風路３８から排風路３２へと送給され、排風連通路６８を介して機体１２の外部へ排出される。
【００３３】
すなわち、この穀物遠赤外線乾燥装置１０では、吸引排風機７０によって機体１２内の空気を外部へ排出することで、外気流入口４４から機体１２内へ外気を流入させ、機体１２内に穀物流下路４６（穀物収容部）を通過する空気流を生じさせると共に、穀物流下路４６に対して前記空気流の上流側に遠赤外線放射体７８及びバーナ６６を配置させることで、穀物流下路４６に乾燥風（加熱された空気流）を供給する構成になっている。
【００３４】
一方、穀物流下路４６の各下端は、前記排風路隔壁２８と導風路隔壁３４の下端傾斜部間に形成される流出口４８を経てシャッタドラム５０へ連結されている。
【００３５】
シャッタドラム５０は軸心が水平とされた中空円筒状であり、外周一部に所定幅寸法で軸方向に沿ったスリット状の切欠が形成されている。このシャッタドラム５０は軸心回りに回転して切欠と前記流出口４８とが対面することにより、切欠を通して穀物流下路４６内の穀物がシャッタドラム５０の内部に流入し、さらにシャッタドラム５０が回転して切欠が下向きに位置する状態となることにより流入した穀物が排出される。
【００３６】
シャッタドラム５０の下方には、側壁１４間の中央部へ向けて下向きにテーパーとなった一対の張込流し板５２が配置されている。また機壁１４の下部には張込ホッパ５３が配設され、機体１２内へ穀物を張込むことができる。このため、シャッタドラム５０から排出された穀物及び張込ホッパ５３から張込まれた穀物は、張込流し板５２によって側壁１４間の略中央部に搬送されるようになっている。
【００３７】
張込流し板５２の各下方端には穀物搬送用の下スクリューコンベヤ５４が配設されている。下スクリューコンベヤ５４は穀物遠赤外線乾燥装置１０の装置長手方向に渡って配設されており、外周の螺旋羽根の間へ入り込む穀物を前面壁１６側へと送り出すようになっている。
【００３８】
前面壁１６の外側には下スクリューコンベヤ５４に連結して搬送された穀物を受け取れるように昇降機５６が立設している。昇降機５６内には、一定間隔で穀物搬送用バケット５７が無端ベルトへ取りつけられており、下スクリューコンベヤ５４から送り出され下端部に堆積した穀物を穀物遠赤外線乾燥装置１０の最上部まで持上搬送できるようになっている。
【００３９】
昇降機５６の上端部には上スクリューコンベヤ５８の一端が対応しており、持上げ搬送された穀物を受け取ることができる。この上スクリューコンベヤ５８の他端は穀物遠赤外線乾燥装置１０の長手方向中央部まで延長されており、この上スクリューコンベヤ５８の他端直下へ軸心が垂直の回転式均分機６０が配置されている。したがって上スクリューコンベヤ５８によって穀物遠赤外線乾燥装置１０の上方中央部まで搬送された穀物は回転式均分機６０上へ落下し、この回転式均分機６０の回転時に遠心力で機体１２内の穀槽２４へ均等に放散分配されることになる。
【００４０】
上スクリューコンベヤ５８の一端下方には、穀物排出口７２が設けられており、乾燥処理後の穀物を機体１２外へ取り出せるようになっている。
【００４１】
次に、本実施形態の作用について説明する。
【００４２】
上記構成の穀物遠赤外線乾燥装置１０では、穀物を張込む際には、先ず循環系装置（下スクリューコンベヤ５４、昇降機５６、上スクリューコンベヤ５８、回転式均分機６０）を駆動させる。そして機体１２の下方側面にある張込ホッパ５３を開放して穀物を機体１２内へ張込む。張込まれた穀物は張込流し板５２に案内されて下スクリューコンベヤ５４配設位置へ搬送される。搬送された穀物は下スクリューコンベヤ５４によって逐次昇降機５６側に搬送され、さらに回転する昇降機５６のバケット５７で掬われて持ち上げ搬送される。
【００４３】
昇降機５６によって機体１２の上方に持上げ搬送された穀物は上スクリューコンベヤ５８によって機体１２の上方中央部に送られ、回転式均分機６０によって機体内の穀槽２４へ貯蔵される。
【００４４】
さらにここで、張込終了後シャッタドラム５０を回転させて穀物を繰り出す。さらにこれと共に、機体１２に連結されたバーナ６６を点火すると共に吸引排風機７０を駆動すると、外気が導風連通路６４を通って外気導入口３０から導風路３８へ送り込まれる。
【００４５】
導風路３８へ送り込まれた外気は、バーナ６６によって加熱された遠赤外線放射体７８によって加熱されると共に、バーナ６６によって発生し遠赤外線放射体７８の排気口７８Ｅから放出された熱風と混合され、これにより所定温度の乾燥風（温風）が生成される。導風路３８で生成された乾燥風は、導風路隔壁３４を通過し、穀物流下路４６内の穀物に直接供給される。穀物の水分を吸収した後の乾燥風は排風路隔壁２８を通過し排風路３２を経て排風連通路６８へ至り、穀物遠赤外線乾燥装置１０外へ排出される。また、導風路３８に送り込まれた乾燥風の一部は、導風路隔壁３４を通過し穀物流下路４６内の穀物に供給されて穀物の水分を吸収した後に、隔壁４０を通過して補助導風路４２へ至り、排風連通路６８から排出される。
【００４６】
またこれと共に、導風路３８内の遠赤外線放射体７８から遠赤外線が穀物流下路４６へ放射される。したがって、穀物は、穀物流下路４６を流下しながら乾燥風及び遠赤外線を浴びて乾燥される。
【００４７】
一方、穀物流下路４６内の穀物は、シヤッタドラム５０の回転により流出口４８を通過した後に再び張込流し板５２によって案内搬送される。搬送された穀物は、必要に応じて所望の含水率に達するまで機体１２内で前述の循環作用が繰り返され、再び昇降機５６によって持ち上げ搬送された後に穀物排出口７２から取出される。
【００４８】
ここで、本実施形態では、遠赤外線放射体７８の一端側に設けられた縦壁部７８Ａには、複数の貫通孔８２が形成されている。このため、吸引排風機７０が機体１２内の空気を排出することで機体１２内が負圧になり、遠赤外線放射体７８内の空気が排気口７８Ｅから吸引された場合には、複数の貫通孔８２を介して遠赤外線放射体７８内に空気（外気）が流入する。したがって、遠赤外線放射体７８の一端側開口部がバーナ６６によって塞がれていても、バーナ６６の吸気口６９からバーナ６６内に導入されて遠赤外線放射体７８内へ排出される空気（一次燃焼空気）の流量が、上記吸引によって不要に増加されることを抑制できる。
【００４９】
したがって、本実施形態では、バーナ６６の空燃比を一定に維持することができるので、バーナ６６の燃焼を安定させることができる。また、空気に含まれた埃がバーナ６６内部の構成部材（炎検知器９１、燃料噴射ノズル８８、点火プラグ８９など）に付着することが抑制されるので、当該埃の付着によるバーナ６６の誤作動を防止又は抑制することができる。
【００５０】
しかも、本実施形態では、バーナ６６が火炎を放射している状態では、複数の貫通孔８２のうち小径部７８Ｂの上側に配置された幾つかが、当該火炎と導風ダクト３６の外気流入口４４との間に配置される。このため、外気流入孔４４から導風ダクト３６の内部を覗くことにより、火炎を直接視認することができ、これにより、バーナ６６の燃焼状態を確認することができる。すなわち、バーナ６６の点火(着火)状態やその後の燃焼の強弱状態、あるいはその適否等を確認することができる。
【００５１】
したがって、そのままこの穀物遠赤外線乾燥装置１０の運転を続行して良いものか否かの判断を随時確実にすることができる。しかも、特別なセンサ等を用いた構成ではないため、構造が簡単で低コストにより実現することができる。
【００５２】
また、本実施形態では、上述の如く遠赤外線放射体７８の縦壁部７８Ａに複数の貫通孔８２が形成されているため、機体１２の外側からの光が貫通孔８２及び外気流入口４４を介して遠赤外線放射体７８内へ入射するが、バーナ６６は防風カバー７６によって覆われているため、バーナ６６内に機体１２の外側からの光が入射することを防止できる。したがって、バーナ６６内に設けられた炎検知器９１が機体１２の外側からの光によって誤作動すること（当該光を炎と誤認すること）を防止できる。
【００５３】
さらに、本実施形態では、複数の貫通孔８２を介して遠赤外線放射体７８内に外気（二次燃焼空気）が流入するため、一次燃焼では燃焼しきらなかった未燃焼成分を当該二次燃焼空気と混合させて再燃焼させることができる。したがって、高い燃焼効率を実現することができると共に、排気をクリーンにすることができる。
【００５４】
しかも、複数の貫通孔８２が、遠赤外線放射体７８の縦壁部７８Ａ（バーナ６６の火炎放射口の周囲）において、遠赤外線放射体７８の周方向に並んで配置されている。このため、バーナ６６が放射する火炎の周囲に満遍なく二次燃焼空気を供給することができるので、効果的に二次燃焼を促進させることができる。
【００５５】
なお、上記実施形態に係る穀物遠赤外線乾燥装置１０では、遠赤外線放射体７８に複数の円形の貫通孔８２が形成された構成にしたが、これに限らず、貫通孔の数や形状は適宜変更することができる。
【００５６】
また、上記実施形態に係る穀物遠赤外線乾燥装置１０では、貫通孔８２が遠赤外線放射体７８の縦壁部７８Ａに形成された構成にしたが、これに限らず、貫通孔は、遠赤外線放射体７８の一端側（バーナが取り付けられる側）に形成されていればよく、例えば、遠赤外線放射体７８の一端側の外周壁に形成された構成にしてもよい。
【００５７】
さらに、上記実施形態に係る穀物遠赤外線乾燥装置１０では、導風ダクト３６に設けられた外気流入孔４４がスリット状に形成された構成にしたが、これに限らず、例えば外気流入孔４４を網目状に形成し、導風ダクト３６内を覗き易くするように構成してもよい。
【図面の簡単な説明】
【００５８】
【図１】本発明の実施の形態に係る穀物遠赤外線乾燥装置の縦断面図である。
【図２】図１の２−２線断面図である。
【図３】図１の３−３線断面図である。
【図４】図１に示される穀物遠赤外線乾燥装置の構成部材であるバーナ及び周辺部品の構成を示す断面図である。
【符号の説明】
【００５９】
１０      穀物乾燥装置
１２      機体
４６      穀物流下路（穀物収容部）
４４      外気流入孔
６６      バーナ
７８      遠赤外線放射体
７８Ｄ    一端側開口部
８２      貫通孔
【図１】
2008298371.tif 000003
【図２】
2008298371.tif 000004
【図３】
2008298371.tif 000005
【図４】
2008298371.tif 000006